(57)【要約】      （修正有）【課題】使用性に優れ、衛生面の向上にも寄与する上、コンパクトな状態にもすることができる足踏み式消毒剤供給装置を提供する。【解決手段】容器１を保持する容器保持部４が設けられた棚板５と、棚板が固定され上下に延びる二本の昇降棒２２と、昇降棒を昇降自在に支持し、その支持高さを二段階に調整可能な二つの支持脚２５と、二つの支持脚の下部を連結するように左右に延びる下連結棒３０と、下連結棒の軸回りに回動し、前側に足踏みペダル３が設けられたリンク３ａと、容器保持部の上方において二本の昇降棒を連結するように左右に延びる上連結棒と、上連結棒の軸回りに回動し、前部３３が容器保持部に保持された容器のヘッド１ａの上方に位置する操作体３２と、容器保持部に保持された前記容器の後方において上下に延び、リンク機構を構成するように操作体の後部及びリンクの後部に連結され、その長さが可変であるロッド３６とを具備した。【選択図】図２
0003229916.tif 000002
【実用新案登録請求の範囲】
【請求項１】
容器本体に貯留された消毒剤を、容器本体の上方に突出し上下動可能なヘッドの下向き押圧に伴って供給口から外部に供給するように構成された消毒剤入りの容器が取り付けられる足踏み式消毒剤供給装置であって、
前記容器を保持する容器保持部が設けられた棚板と、
容器保持部の左右に配されるとともに棚板が直接又は間接的に固定され、上下に延びる二本の昇降棒と、
二本の昇降棒をそれぞれ昇降自在に支持し、二本の昇降棒の支持高さを少なくとも二段階に調整可能な二つの支持脚と、
二つの支持脚の下部を連結するように左右に延びる下連結棒と、
下連結棒の軸回りに回動し、前側に足踏みペダルが設けられたリンクと、
容器保持部の上方において二本の昇降棒を連結するように左右に延びる上連結棒と、
上連結棒の軸回りに回動し、前部が容器保持部に保持された容器のヘッドの上方に位置する操作体と、
容器保持部に保持された前記容器の後方において上下に延び、リンク機構を構成するように操作体の後部及びリンクの後部に連結され、その長さが可変であるロッドとを具備した足踏み式消毒剤供給装置。
【請求項２】
前記リンクの前後の下面には高さ調整ねじが設けられている請求項１に記載の足踏み式消毒剤供給装置。
【請求項３】
前記容器保持部は、前記棚板に設けられた容器用開口と、容器用開口の後縁側から容器用開口内に挿入固定される調整板と、この調整板に連結され容器がその上面に載置される載置板とで構成され、
前記調整板の固定位置は前後方向に調整可能であり、前記載置板の固定位置は上下方向に調整可能である請求項１又は２に記載の足踏み式消毒剤供給装置。
【請求項４】
前記棚板がコルク板である請求項１〜３の何れか一項に記載の足踏み式消毒剤供給装置。
【考案の詳細な説明】
【技術分野】
【０００１】
本考案は、例えば、手指の消毒に用いられる消毒剤が貯留された容器に人が直接触れることなく、その容器から消毒剤を供給（吐出・噴霧等）させることを可能とする足踏み式消毒剤供給装置に関する。
【背景技術】
【０００２】
従来、手指の消毒に用いられるアルコール等の消毒剤は、上下動可能なヘッドを有する容器に貯留（収容）された状態で広く市場に出回っている。すなわち、この容器は、ヘッドが下向きに押圧されると、ヘッドから延びるノズル先端の供給口から消毒剤が外部に供給されるように構成されている。そして、この容器は、消毒剤を使用する際、容器本体を手に持って傾けるといった操作が不要であり、使用性に優れている。
【考案の概要】
【考案が解決しようとする課題】
【０００３】
しかし、上記容器では、消毒前の手でヘッドに触れることになる点が衛生上懸念される。そこで、本出願人は、先に、図１３（Ａ）及び（Ｂ）に示す足踏み式消毒剤供給装置５１を開発した。この供給装置５１では、足踏みペダル５２を踏むと、この踏圧力がロッド５３を介して操作部５４を連結体５５の軸回りに回動させる力に変換され、操作部５４の前部が容器１のヘッド１ａを下向きに押圧し、ヘッド１ａに連なるノズル１ｂの先端から消毒剤が吐出される。すなわち、足踏みペダル５２を踏めば容器１内の消毒剤を使用することができ、容器１に手で直接触れる必要がないので、上記供給装置５１は、使用性に優れ、衛生面の向上にも寄与するものとなっている。
【０００４】
しかし、上記供給装置５１では、ロッド５３の長さが可変ではないため、装置全体をコンパクトな状態にして収納や運搬を行いたいという要望に対応し難い面がある。
【０００５】
本考案は上述の事柄に留意してなされたもので、その目的は、使用性に優れ、衛生面の向上にも寄与する上、コンパクトな状態にもすることができる足踏み式消毒剤供給装置を提供することにある。
【課題を解決するための手段】
【０００６】
上記目的を達成するために、本考案に係る足踏み式消毒剤供給装置は、容器本体に貯留された消毒剤を、容器本体の上方に突出し上下動可能なヘッドの下向き押圧に伴って供給口から外部に供給するように構成された消毒剤入りの容器が取り付けられる足踏み式消毒剤供給装置であって、前記容器を保持する容器保持部が設けられた棚板と、容器保持部の左右に配されるとともに棚板が直接又は間接的に固定され、上下に延びる二本の昇降棒と、二本の昇降棒をそれぞれ昇降自在に支持し、二本の昇降棒の支持高さを少なくとも二段階に調整可能な二つの支持脚と、二つの支持脚の下部を連結するように左右に延びる下連結棒と、下連結棒の軸回りに回動し、前側に足踏みペダルが設けられたリンクと、容器保持部の上方において二本の昇降棒を連結するように左右に延びる上連結棒と、上連結棒の軸回りに回動し、前部が容器保持部に保持された容器のヘッドの上方に位置する操作体と、容器保持部に保持された前記容器の後方において上下に延び、リンク機構を構成するように操作体の後部及びリンクの後部に連結され、その長さが可変であるロッドとを具備した（請求項１）。
【０００７】
上記足踏み式消毒剤供給装置において、前記リンクの前後の下面には高さ調整ねじが設けられていてもよい（請求項２）。
上記足踏み式消毒剤供給装置において、前記容器保持部は、前記棚板に設けられた容器用開口と、容器用開口の後縁側から容器用開口内に挿入固定される調整板と、この調整板に連結され容器がその上面に載置される載置板とで構成され、前記調整板の固定位置は前後方向に調整可能であり、前記載置板の固定位置は上下方向に調整可能であってもよい（請求項３）。
上記足踏み式消毒剤供給装置において、前記棚板がコルク板であってもよい（請求項４）。
【考案の効果】
【０００８】
本願考案では、使用性に優れ、衛生面の向上にも寄与する上、コンパクトな状態にもすることができる足踏み式消毒剤供給装置足踏み式消毒剤供給装置が得られる。
【０００９】
すなわち、本願の各請求項に係る考案の足踏み式消毒剤供給装置では、容器内の消毒剤を使用する際、足踏みペダルを踏めばよく、容器に手で直接触れる必要がないので、使用性に優れ、衛生面の向上にも寄与するものとなっている。
【００１０】
また、本考案の足踏み式消毒剤供給装置では、昇降棒の支持高さが可変である上、ロッドの長さも可変としてあるので、昇降棒の支持高さを最低とし、ロッドを最短となるまで短くすれば、装置全体が非常にコンパクトな状態になり、収納性や運搬性に優れたものとなる。
【００１１】
請求項２に係る考案の足踏み式消毒剤供給装置では、リンクの前後の下面の高さ調整ねじを適宜に調整することにより、足踏みペダルを踏んだときの最大ストロークを調整することができ、ひいては容器からの消毒剤の最大吐出量（一回の足踏みペダルの踏み込みによって容器から吐出される消毒剤の最大量）を調整することができる。
請求項３に係る考案の足踏み式消毒剤供給装置では、調整板及び載置板についての前後方向及び上下方向に調整可能な寸法の範囲で種々の高さ及び前後幅を有する容器に対応することができる。
請求項４に係る考案の足踏み式消毒剤供給装置では、棚板をコルク板とすることにより、装置全体の軽量化を図ることができ、この点でも運搬性に優れたものとなる。
【図面の簡単な説明】
【００１２】
【図１】本考案の一実施の形態に係る足踏み式消毒剤供給装置の正面図（写真）である。
【図２】前記足踏み式消毒剤供給装置の右側面図（写真）である。
【図３】前記足踏み式消毒剤供給装置の左側面図（写真）である。
【図４】前記足踏み式消毒剤供給装置の背面図（写真）である。
【図５】前記足踏み式消毒剤供給装置の上部の構成を示す斜視図（写真）である。
【図６】前記足踏み式消毒剤供給装置の前方からみた容器保持部周辺の構成を示す拡大斜視図（写真）である。
【図７】前記足踏み式消毒剤供給装置の後方からみた容器保持部周辺の構成を示す拡大斜視図（写真）である。
【図８】前記足踏み式消毒剤供給装置の前方からみた下部の構成を示す斜視図（写真）である。
【図９】前記足踏み式消毒剤供給装置の後方からみた下部の構成を示す斜視図（写真）である。
【図１０】前記足踏み式消毒剤供給装置の下端付近の構成を示す斜視図（写真）である。
【図１１】前記足踏み式消毒剤供給装置の下面の構成を示す斜視図（写真）である。
【図１２】足踏みペダルを踏み下げた状態の前記足踏み式消毒剤供給装置の構成を示す側面図（写真）である。
【図１３】（Ａ）及び（Ｂ）は、従来の足踏み式消毒剤供給装置の構成を示す正面図（写真）及び側面図（写真）である。
【考案を実施するための形態】
【００１３】
本考案の実施の形態について図面を参照しながら以下に説明する。
【００１４】
図１〜図１２に示す足踏み式消毒剤供給装置（以下、供給装置と略称する）２は、消毒剤入りの容器１を保持し（図２参照）、足踏みペダル３を踏むと、容器１に触れずにこの容器１に貯留された消毒剤を吐出させることができる、というものである。ここで、容器１は、図２に示すように、消毒剤を貯留する容器本体１ｃと、容器本体１ｃの上方に突出し上下動可能なヘッド１ａと、このヘッド１ａに連なるノズル１ｂとを有し、ヘッド１ａの下向き押圧に伴い、ノズル１ｂ先端の供給口から外部に消毒剤が吐出（供給）されるように構成されている。
【００１５】
供給装置２は、図２に示すように、容器１を保持する容器保持部４が設けられた棚板５を具備する。詳述すると、図５に示すように、棚板５の前部にはトレイ用開口６が、後部には容器用開口７が設けられ、トレイ用開口６にはこれを上方から塞ぐようにトレイ８（図１、図２等参照）が嵌め込み載置される。
【００１６】
図５に示すように、容器保持部４は、容器用開口７と、この容器用開口７の後縁側から容器用開口７内に挿入固定される調整板９と、この調整板９に連結され容器１がその上面に載置される載置板１０とで構成されている。
【００１７】
調整板９は、図６に示すように、棚板５の上面に沿う高さ位置で水平に延びる水平部分１１と、この水平部分１１の前縁から下向きに延びる垂直部分１２とを有し、水平部分１１には、その左右両部から後方に向かって延びる二つの爪１３が連設され、各爪１３には前後方向に延びる長孔１４が形成されている。一方、棚板５の上面における容器用開口７の後方の適宜の二か所の位置にはそれぞれ結合部材（例えばボルト等）１５を結合（例えばねじ結合）可能であり、長孔１４の任意の位置を挿通する状態で棚板５に結合される二つの結合部材１５の頭部で爪１３の長孔１４の縁を押さえ込むことにより、二つの爪１３を有する調整板９を棚板５に連結固定することができる。
【００１８】
載置板１０は、図７に示すように、前後方向に延び容器１がその上面に載置される台部１６と、この台部１６の後端に連設され上下方向に延びる基部１７とを有し、基部１７は二つの結合部材１８により調整板９の垂直部分１２に結合される。
【００１９】
ここで、垂直部分１２の左右両部には、それぞれ上下方向に延びる長孔１９が形成され、長孔１９の任意の位置を挿通する状態で基部１７に結合される二つの結合部材１８の頭部で垂直部分１２の長孔１９の縁を押さえ込むことにより、載置板１０を調整板９に連結固定することができる。
【００２０】
以上のように構成された容器保持部４では、載置板１０の台部１６の上に容器１を載置すると、この容器１は、容器用開口７の前側及び左右両側の縁と、調整板９とで前後左右から囲まれ、安定性良く保持された状態になる。
【００２１】
なお、調整板９に設けた前後方向に延びる二つの長孔１４の長さの範囲で、調整板９の固定位置を前後方向に調整（変更）することができ、また、調整板９に設けた上下方向に延びる二つの長孔１９の長さの範囲で、載置板１０の固定位置を上下方向に調整（変更）することができる。すなわち、このように前後方向及び上下方向に調整可能な寸法の範囲で種々の高さ及び前後幅を有する容器１を容器保持部４によって保持することができる。
【００２２】
図６、図７に示すように、棚板５は、左右に延びる角柱状の連結体２０の上面に適宜の連結部材（例えばねじ）２１を用いて連結され、連結体２０の両端はそれぞれ上下に延びる二本の角柱状の昇降棒２２に一体化（接合）されている。
【００２３】
図４に示すように、二本の昇降棒２２の上部どうしは水平（左右）に延びるブリッジ２３を介して繋がり（一体化され）、このブリッジ２３には例えば企業名や広告等の表示に利用可能なプレート２４を取り付けてある。
【００２４】
図１〜図４に示すように、二本の昇降棒２２は、それぞれ支持脚２５によって支持される。支持脚２５は、図８及び図９に示すように、上下方向に延びる角筒状のガイド部２６を有し、その中空空間に昇降棒２２の下部が挿入され、昇降棒２２はガイド部２６にガイドされながら昇降する。そして、ガイド部２６の上部の側面（例えば背面）には開口が設けられ、この開口からガイド部２６内に適宜の連結部材（例えばボルト）２７を差し込み、ガイド部２２内にある昇降棒２２の適宜の位置に設けられた凹部（貫通孔を含む）にその連結部材２７を進入ないしねじ結合させることにより、昇降棒２２は昇降しなくなる。
【００２５】
本例では、支持脚２５により上下二段階の支持高さで昇降棒２２を支持することができるように、昇降棒２２において上下方向に離れた二か所にそれぞれ上記凹部を設けてある（以下では、これら二つの凹部を、上側凹部、下側凹部と呼んで区別する場合がある）。すなわち、ガイド部２６の前記開口に昇降棒２２の上側凹部を合致させた状態で上側凹部に連結部材２７を進入させれば、低い位置で昇降棒２２を支持することができる。また、ガイド部２６の前記開口に昇降棒２２の下側凹部を合致させた状態で下側凹部に連結部材２７を進入させれば、高い位置で昇降棒２２を支持することができる。このように、ガイド部２６は、昇降棒２２を昇降自在に支持し、昇降棒２２の支持高さを少なくとも二段階に調整可能としてある。なお、昇降棒２２の支持高さを三段階以上に調整可能としたければ、昇降棒２２に設ける上記凹部を相互に異なる三つ以上の高さ位置に設ければよい。
【００２６】
図８及び図９に示すように、ガイド部２６の下端は、前後方向に延びる架台２８の上面に接合されている。本例では、ガイド部２６の下端の接合位置は、架台２８の上面の前後方向における中央よりも後ろ寄りにある。
【００２７】
図１０、図１１に示すように、二つの架台２８のそれぞれ前後の下面には、高さ調整ねじ２９が設けられ、床面の傾斜や凹凸等に応じた高さ調整を行えるように構成されている。
【００２８】
図８に示すように、二つの支持脚２５の下部（架台２８）は、左右に延びる下連結棒３０によって連結され、上述の足踏みペダル３は、この下連結棒３０の軸回りに回動するように構成され前後方向に延びるリンク３ａの前側に設けられている。
【００２９】
図５及び図６に示すように、供給装置２はまた、容器保持部４の上方において二本の昇降棒２２を連結するように左右に延びる上連結棒３１と、上連結棒３１の軸回りに回動し、その前部３３が容器保持部４に保持された容器１のヘッド１ａの上方に位置する（図２参照）操作体３２とを具備する。
【００３０】
操作体３２は、図６に示すように、上連結棒３１に軸支された後部３４と、この後部３４の前側に連結された前部３３とを有し、前部３３と後部３４とは例えば適宜の結合部材（ねじ部材等）３５によって結合される。ここで、前部３３と後部３４とにそれぞれ結合部材３５が貫通する貫通孔を設けるに際して、その一方（本例では前部３３）に設ける貫通孔を前後方向に延びる長孔とすることにより、前部３３を前後方向に位置調整することが可能となる。
【００３１】
図６に示すように、前部３３は、容器１のヘッド１ａに上方から覆い被さる形状を有し（図２も参照）、この前部３３の前面から側面にわたって、ヘッド１ａから側方に突出するノズル１ｂを避けるための切欠き３３ａが複数設けられている。この切欠き３３ａにノズル１ｂを通すことにより、操作体３２がヘッド１ａを下向きに押圧した際などに、何かの拍子でヘッド１ａがその上下方向の軸回りに回動してしまうことを確実に防止することができる。
【００３２】
供給装置２はまた、図２及び図３に示すように、容器保持部４に保持された容器１の後方において上下に延び、リンク機構を構成するように操作体３２の後部３４及びリンク３ａの後部に連結されるロッド３６を具備している。
【００３３】
ロッド３６は、図２に示すように、上下方向に延びる角柱状の昇降棒３７と、上下方向に延びる角筒状のガイド体３８とを有し、昇降棒３７はガイド体３８の中空空間にその下部が挿入され、昇降棒３７はガイド体３８にガイドされながら昇降する。そして、ガイド体３８は、昇降棒３７を昇降自在に支持し、昇降棒３７の支持高さを少なくとも二段階に調整可能としてある。この支持の仕方は、上述した支持脚２５のガイド部２６による昇降棒２２の支持の仕方と同一であり、重複を避けるためのその説明を省略する。なお、符号３９は連結部材であり、上記連結部材２７と同一構成のものを採用可能である。また、昇降棒３７の支持高さは、操作体３２によってヘッド１ａの押し下げを好適に行えるように適宜決定すればよい。
【００３４】
以上のように構成された供給装置２では、足踏みペダル３を踏まない自然状態においては、図２及び図３に示すように、ロッド３６の重量によってリンク３ａの後部が押し下げられ、リンク３ａの前部に繋がった足踏みペダル３が上方に浮いている。そして、足踏みペダル３を踏んで下向きに押圧すると（図１２参照。なお、図１２のテープカッターＴは足踏みペダル３を踏んだ状態を模擬的に示すために置いたものである。）、下連結棒３０の軸回りに回動するリンク３ａの前部が下がり、後部が上がって、ロッド３６が上昇する。これに伴い、操作体３２が上連結棒３１の軸回りに回動し、前部３３が容器１のヘッド１ａを押し下げ、容器１に貯留された消毒剤が吐出されることになる。
【００３５】
従って、本例の供給装置２は、容器１内の消毒剤を使用する際、足踏みペダル３を踏めばよく、容器１に手で直接触れる必要がないので、使用性に優れ、衛生面の向上にも寄与するものとなっている。
【００３６】
また、本例の供給装置２では、容器保持部４を有する棚板５を支持する二本の昇降棒２２の高さを変更することにより、容器保持部４に保持された容器１の高さを調整することができ、この点でも使用性に優れたものとなっている。
【００３７】
さらに、本例の供給装置２では、容器保持部４に保持された状態の容器１は、容器用開口７の下方に下部が入り込み、ヘッド１ａには操作体３２の前部３３が覆い被さっているので、この状態で供給装置２から抜き出せず、これにより、容器１の盗難防止を図ることができる。
【００３８】
しかも、本例の供給装置２では、昇降棒２２の支持高さが可変である上、ロッド３６の長さも可変としてあるので、昇降棒２２の支持高さを最低とし（昇降棒２２を支持脚２５のガイド部２６内に最大限収納し）、ロッド３６を最短となるまで短くすれば、装置全体が非常にコンパクトな状態になり、収納性や運搬性に優れたものとなる。
【００３９】
その上、本例の供給装置２では、棚板２をコルク板とすることにより、装置全体の軽量化を図ることができ、この点でも運搬性に優れたものとなる。ただし、棚板２はコルク板に限らず、合成樹脂、金属、ガラス等で形成してもよい。
【００４０】
また、上述のように、二つの架台２８のそれぞれ前後の下面に、高さ調整ねじ２９を設けてあるのに加え、本例では、図１１に示すように、リンク３ａの前後の下面にもそれぞれ高さ調整ねじ２９ａを設けてあるので、これら前後の高さ調整ねじ２９ａを適宜に調整することにより、足踏みペダル３を踏んだときの最大ストロークを調整することができる。そして、足踏みペダル３の最大ストロークを調整することにより、操作体３２の前部３３が容器１のヘッド１ａを押し下げる最大ストロークを調整し、容器１からの消毒剤の最大吐出量（一回の足踏みペダル３の踏み込みによって容器１から吐出される消毒剤の最大量）を調整することができる。
【００４１】
なお、本考案は、上記の実施の形態に何ら限定されず、本考案の要旨を逸脱しない範囲において種々に変形して実施し得ることは勿論であり、本明細書で挙げた変形例どうしを適宜組み合わせてもよいことはいうまでもない。
【００４２】
図７に示したように、上記実施の形態では、二本の昇降棒２２に対して棚板５が連結体２０を介して間接的に固定されているが、これに限らず、例えば棚板５を二本の昇降棒２２に直接固定してもよい。
【００４３】
上記実施の形態では、図９に示すように、筒状のガイド部２６の中空空間に昇降棒２２の下部を挿入するので、いわばガイド部２６が雌、昇降棒２２が雄となっているが、これに限らず、この雌雄が逆になるように構成してもよい。すなわち、昇降棒２２を筒状にし、この昇降棒２２がガイド部２６に対して外側から覆い被さるようにしてもよい。
【００４４】
上記実施の形態では、図６に示すように、操作体３２の後部の左右両部の一方のみをロッド３６に軸支し、また、図１０に示すように、リンク３ａの後部の左右両部の一方のみをロッド３６に軸支し、これにより、部材点数の低減及び軽量化を図っているが、これに限らず、上記各部材３２、３ａの後部の左右両部の両方をロッド３６に軸支するようにしてもよい。
【符号の説明】
【００４５】
１    容器
１ａ  ヘッド
１ｂ  ノズル
１ｃ  容器本体
２    足踏み式消毒剤供給装置
３    足踏みペダル
３ａ  リンク
４    容器保持部
５    棚板
６    トレイ用開口
７    容器用開口
８    トレイ
９    調整板
１０    載置板
１１    水平部分
１２    垂直部分
１３    爪
１４    長孔
１５    結合部材
１６    台部
１７    基部
１８    結合部材
１９    長孔
２０    連結体
２１    連結部材
２２    昇降棒
２３    ブリッジ
２４    プレート
２５    支持脚
２６    ガイド部
２７    連結部材
２８    架台
２９    高さ調整ねじ
２９ａ  高さ調整ねじ
３０    下連結棒
３１    上連結棒
３２    操作体
３３    前部
３３ａ  切欠き
３４    後部
３５    結合部材
３６    ロッド
３７    昇降棒
３８    ガイド体
３９    連結部材
５１    足踏み式消毒剤供給装置
５２    足踏みペダル
５３    ロッド
５４    操作部
５５    連結体
【図１】
0003229916.tif 000003
【図２】
0003229916.tif 000004
【図３】
0003229916.tif 000005
【図４】
0003229916.tif 000006
【図５】
0003229916.tif 000007
【図６】
0003229916.tif 000008
【図７】
0003229916.tif 000009
【図８】
0003229916.tif 000010
【図９】
0003229916.tif 000011
【図１０】
0003229916.tif 000012
【図１１】
0003229916.tif 000013
【図１２】
0003229916.tif 000014
【図１３】
0003229916.tif 000015